(57)【特許請求の範囲】
【請求項１】
給湯機から浴槽内へと湯はり用および追い焚き用に給湯する給湯配管があって、同浴槽の手前の分岐弁でこの給湯配管より分岐する散湯経路を設けるとともに、この散湯経路の出口部先端に散湯ノズルを取り付けた散湯式床暖房装置であって、上記散湯ノズルの位置を上記浴槽内の水面位置よりも低く設定することにより、ポンプ経路や給湯配管を通ることがなく、直接、浴槽から分岐弁を介して上記散湯経路に同浴槽を出た湯水が入るようにして、同浴槽に湯水が残っている際に、同散湯ノズルを解放することで散湯されるようになしたことを特徴とする散湯式床暖房装置。
【発明の詳細な説明】
【０００１】
【発明の属する技術分野】
本発明は、散湯式床暖房装置に関し、具体的には、浴室の洗い場などの床に利用するのに有用な散湯式床暖房装置に関するものである。
【０００２】
【従来の技術】
従来の散湯式床暖房装置としては、例えば、給湯機からカランなどに給湯する給湯配管があって、この給湯配管より分岐する散湯経路を設けるとともに、この散湯経路の出口部分の先端に散湯ノズルを取り付けて、浴室の洗い場などの床に上記散湯ノズルを介して散湯して、同床を温めるようなものが知られていたものであった。
【０００３】
【発明が解決しようとする課題】
しかしながら、このような散湯式床暖房装置においては、給湯機から散湯ノズルまでの給湯配管や散湯経路が長くなるにつれて、散湯時に温水が流れるまでの時間としては長くかかり、しかも、給湯圧力は、使用する地域や給湯機の設置高さにより異なるので、給湯圧力によって散湯される温水の範囲、いわゆる、床が昇温する範囲がばらつくという問題があった。
【０００４】
本発明は、上述の事実に鑑みてなされたものであって、その目的とするところは、浴室の洗い場などの床を均一、かつ、スムーズに温めることができる散湯式床暖房装置を提供することにある。
【０００５】
【課題を解決するための手段】
本発明の請求項１に係る散湯式床暖房装置は、給湯機（１）から浴槽（４）内へと湯はり用および追い焚き用に給湯する給湯配管（１１）があって、同浴槽（４）の手前の分岐弁（７）でこの給湯配管（１１）より分岐する散湯経路（１２）を設けるとともに、この散湯経路（１２）の出口部先端に散湯ノズル（９）を取り付けたことを特徴とする。
【０００７】
更に、本発明の請求項１に係る散湯式床暖房装置は、上記散湯ノズル（９）の位置を上記浴槽（４）内の水面位置よりも低く設定することにより、ポンプ経路（１３）や給湯配管（１１）を通ることがなく、直接、浴槽（４）から分岐弁（７）を介して上記散湯経路（１２）に同浴槽（４）を出た湯水が入るようにして、同浴槽（４）に湯水が残っている際に、同散湯ノズル（９）を解放することで散湯されるようになしたことを特徴とする。
【０００９】
【発明の実施の形態】
以下、本発明を実施形態に係る図面に基いて詳しく説明する。
【００１０】
図１は、本発明の一実施形態に係る散湯式床暖房装置を示した概略図である。図２は、図１の散湯式床暖房装置において、一実施形態に係る使用状態を示した概略図である。図３は、図１の散湯式床暖房装置において、他の一実施形態に係る使用状態を示した概略図である。図４は、図１の散湯式床暖房装置において、さらに他の一実施形態に係る使用状態を示した概略図である。
【００１１】
本発明の散湯式床暖房装置は、図１ないし図４に示すごとく、給湯機（１）から浴槽（４）内へと湯はり用および追い焚き用に給湯する給湯配管（１１）があって、この給湯配管（１１）より分岐する散湯経路（１２）を設けるとともに、この散湯経路（１２）の出口部先端に散湯ノズル（９）を取り付けているものである。
【００１２】
上記給湯機（１）は、図１ないし図４に示すごとく、外部から導入された水を温めて湯水にするものである。この給湯機（１）には、例えば、外部から水を導入するのに開閉されるバイパス弁（５）や湯水をスムーズに流れるように送出させるのに用いられる給湯機ポンプ（６）や外部から導入された水を直に温めて湯水にする熱交換器（１０）を設けているものである。この給湯機（１）の材質や大きさ、形状などは、特に制限されるものではないものである。
【００１３】
上記浴槽（４）は、図１ないし図４に示すごとく、浴室（３）に設けられているものである。この浴槽（４）の材質や大きさ、形状などは、通常用いられているものでかまわず、特に問われるものではないものである。なお、この浴槽（４）の湯水が冷たい時など追い焚きすることができるように同浴槽（４）を出た湯水が、給湯機ポンプ（６）に繋がるポンプ経路（１３）を通すようにして、簡単に追い焚きすることができるようになっていてもかまわないものである。
【００１４】
上記給湯配管（１１）は、図１ないし図４に示すごとく、上記給湯機（１）から浴槽（４）内へと繋がっているものである。この給湯配管（１１）は、上記給湯機（１）で温められた湯水を湯はり用および追い焚き用に給湯するものである。
【００１５】
上記散湯経路（１２）は、図１ないし図４に示すごとく、上記給湯配管（１１）より分岐しているものである。この散湯経路（１２）は、例えば、上記浴槽（４）の手前に設けられた分岐弁（７）にて上記浴槽（４）の方へ流れる湯水と分かれて、散湯させるのに用いられる湯水の分だけ流すことができるようになっているものである。
【００１６】
上記散湯ノズル（９）は、図１ないし図４に示すごとく、上記散湯経路（１２）の出口部先端に取り付けられているものである。この散湯ノズル（９）から同図のごとき浴室（３）の洗い場のような床（２）に湯水がまかれ、いわゆる、散湯されるものである。この散湯ノズル（９）は、散湯させる際に開閉自在な散湯弁（８）を開くことによって、散湯されるものである。
【００１７】
本発明は、このような構成をとることによって、給湯機（１）から浴槽（４）内へと湯はり用および追い焚き用に給湯する給湯配管（１１）より分岐する散湯経路（１２）の出口部先端に取り付けられている散湯ノズル（９）を用いることで、散湯時に温水が流れるまでの時間が短くてすむ上に、浴室（３）の洗い場のような床（２）に湯水が均一、かつ、スムーズにまかれるものである。
【００１８】
すなわち、本発明は、浴室（３）の洗い場などの床（２）を均一、かつ、スムーズに温めることができるものである。
【００１９】
また、図２に示すごとく、上記浴槽（４）に湯水が張られている際に、追い焚きしながら、上記散湯ノズル（９）から散湯させてなっているものであると、追い焚きのモードで浴槽（４）の湯水が温められるとともに、給湯機ポンプ（６）などを介して安定した圧力で浴槽（４）に張られている湯水が使用されて、同湯水が散湯ノズル（９）から浴室（３）の洗い場などの床（２）に散湯されて、より一層均一、かつ、より一層スムーズに同床（２）を温めることができるものである。
【００２０】
具体的には、図２の矢印ａに示すごとく、上記浴槽（４）に張られている湯水が流れて散湯ノズル（９）から散湯されるものであり、上記給湯機（１）内に設けられているバイパス弁（５）は閉じられている。さらに詳しくは、浴槽（４）を出た湯水が、給湯機ポンプ（６）に繋がるポンプ経路（１３）を通り、次に、熱交換器（１０）を通過しながら温められて、給湯配管（１１）を通り、浴槽（４）の手前の分岐弁（７）で浴槽（４）へ帰る湯水と分かれて散湯経路（１２）を通って、散湯弁（８）を経由してから散湯ノズル（９）に到着し、同散湯ノズル（９）から散湯されるものである。
【００２１】
さらに、図３に示すごとく、上記散湯ノズル（９）の位置を上記浴槽（４）内の水面位置よりも低く設定して、同浴槽（４）に湯水が残っている際に、同散湯ノズル（９）を解放することで散湯させてなっているものであると、給湯機（１）が完全に止められたりしていても、浴槽（４）に残っている湯水を使用して、給湯機ポンプ（６）などを介することなく、散湯ノズル（９）の位置を浴槽（４）内の水面位置よりも低く設定して得られた圧力で、同湯水が散湯ノズル（９）から浴室（３）の洗い場などの床（２）に散湯されて、より一層均一、かつ、より一層スムーズに同床（２）を温めることができるものである。
【００２２】
具体的には、図３の矢印ｂに示すごとく、上記浴槽（４）に残っている湯水が流れて散湯ノズル（９）から散湯されるものであり、上記給湯機（１）内に設けられているバイパス弁（５）は閉じられているとともに、給湯機（１）内の熱交換器（１０）や給湯機ポンプ（６）が止まっているものである。さらに詳しくは、この場合には、上記給湯機ポンプ（６）に繋がるポンプ経路（１３）や給湯配管（１１）を通ることはなく、浴槽（４）を出た湯水が、同浴槽（４）の手前の分岐弁（７）で直接散湯経路（１２）に入り、同散湯経路（１２）を通って、散湯弁（８）を経由してから散湯ノズル（９）に到着し、同散湯ノズル（９）から散湯されるものである。なお、上記散湯ノズル（９）の位置を上記浴槽（４）内の水面位置よりも低く設定されているので、図１に示されているように、床（２）から浴槽（４）内の水面の高さｈが、同床（２）から散湯ノズル（９）の高さＨに比べて高くて、ｈ＞Ｈとなっているものである。
【００２３】
特に、図４に示すごとく、上記給湯機（１）への給水の圧力を利用して、上記散湯ノズル（９）から散湯させてなっているものであると、シャワー入浴の時や浴槽（４）に湯水が張られていないような時、あるいは、浴槽（４）の湯水の温度が低い時に、給湯機（１）内に設けられているバイパス弁（５）や熱交換器（１０）などを介して、同給湯機（１）外から導入された水が温められて湯水となり、この湯水が散湯ノズル（９）から浴室（３）の洗い場などの床（２）に散湯されて、より一層均一、かつ、より一層スムーズに同床（２）を温めることができるものである。
【００２４】
具体的には、図４の矢印ｃに示すごとく、上記給湯機ポンプ（６）に繋がるポンプ経路（１３）を通ることはなく、上記給湯機（１）への給水の圧力を利用しており、同給湯機（１）内に設けられているバイパス弁（５）と熱交換器（１０）とを経由して、同給湯機（１）外から導入された水が温められて湯水となり、この湯水が散湯ノズル（９）から散湯されるものであり、上記給湯機（１）内に設けられているバイパス弁（５）は開かれている。さらに詳しくは、給湯機（１）外から導入された水が、バイパス弁（５）と熱交換器（１０）を通過しながら温められて湯水となり、給湯配管（１１）を通り、浴槽（４）の手前の分岐弁（７）で散湯経路（１２）の方へ向けられて同散湯経路（１２）を通り、散湯弁（８）を経由してから散湯ノズル（９）に到着し、同散湯ノズル（９）から散湯されるものである。
【００２５】
本発明に係る散湯式床暖房装置によると、図１ないし図４に示すごとく、給湯機（１）から浴槽（４）内へと湯はり用および追い焚き用に給湯する給湯配管（１１）があって、この給湯配管（１１）より分岐する散湯経路（１２）を設けるとともに、この散湯経路（１２）の出口部先端に散湯ノズル（９）を取り付けたので、給湯機（１）から浴槽（４）内へと湯はり用および追い焚き用に給湯する給湯配管（１１）より分岐する散湯経路（１２）の出口部先端に取り付けられている散湯ノズル（９）を用いることで、散湯時に温水が流れるまでの時間が短くてすむ上に、浴室（３）の洗い場のような床（２）に湯水が均一、かつ、スムーズにまかれるものである。
【００２６】
すなわち、本発明は、浴室（３）の洗い場などの床（２）を均一、かつ、スムーズに温めることができるものである。
【００２７】
【発明の効果】
本発明の請求項１に係る散湯式床暖房装置によると、給湯機（１）から浴槽（４）内へと湯はり用および追い焚き用に給湯する給湯配管（１１）より分岐する散湯経路（１２）の出口部先端に取り付けられている散湯ノズル（９）を用いることで、散湯時に温水が流れるまでの時間が短くてすむ上に、浴室（３）の洗い場のような床（２）に湯水が均一、かつ、スムーズにまかれるものである。
【００２８】
すなわち、本発明は、浴室（３）の洗い場などの床（２）を均一、かつ、スムーズに温めることができるものである。
【００３０】
更に、本発明の請求項１に係る散湯式床暖房装置によると、給湯機（１）が完全に止められたりしていても、浴槽（４）に残っている湯水を使用して、給湯機ポンプ（６）などを介することなく、散湯ノズル（９）の位置を浴槽（４）内の水面位置よりも低く設定して得られた圧力で、同湯水が散湯ノズル（９）から浴室（３）の洗い場などの床（２）に散湯されて、より一層均一、かつ、より一層スムーズに同床（２）を温めることができるものである。
【図面の簡単な説明】
【図１】本発明の一実施形態に係る散湯式床暖房装置を示した概略図である。
【図２】図１の散湯式床暖房装置において、一実施形態に係る使用状態を示した概略図である。
【図３】図１の散湯式床暖房装置において、他の一実施形態に係る使用状態を示した概略図である。
【図４】図１の散湯式床暖房装置において、さらに他の一実施形態に係る使用状態を示した概略図である。
【符号の説明】
１    給湯機
４    浴槽
９    散湯ノズル
１１  給湯配管
１２  散湯経路
【図１】
0004273597.tif 000002
【図２】
0004273597.tif 000003
【図３】
0004273597.tif 000004
【図４】
0004273597.tif 000005